(57)【要約】【課題】周囲との識別が困難な被写体を撮影する際に、被写体を容易に特定することができて迅速な撮影を可能とする。【解決手段】デジタルカメラ１０に赤外光領域における特定波長の赤外光を透過するフィルター４８を備え、そのフィルター４８をアクチュエータ５４により移動させて撮影光軸上へ抜き差し可能となるようにする。また、フィルター４８が光軸上に配置された際に撮像デバイス４４によって撮像される赤外光画像は、ディスプレイ２４にモニター表示させる。人などの被写体には、特定波長の赤外光を発光する赤外光発光装置を装着する。これにより、撮影者がデジタルカメラ１０の撮影方向を被写体側に向けると、ディスプレイ２４のモニター画像には赤外光発光部が表示される。その赤外光発光部の位置から被写体を容易に特定することができる。【選択図】　　図３
2004126416.tif 000002
【特許請求の範囲】
【請求項１】
被写体からの光を記録する記録手段と、
前記記録手段への入射光路上へ抜き差し可能に設けられ、特定波長の赤外光を透過又は特定波長以外の赤外光をカットするフィルターと、
前記特定波長の赤外光を含む前記被写体からの光を画像表示する表示手段と、
を有することを特徴とするカメラ。
【請求項２】
前記フィルターは狭波長範囲の赤外光を透過する透過フィルターとされ、前記狭波長範囲を含む広波長範囲の赤外光をカットするとともに前記入射光路上へ抜き差し可能とされたカットフィルターを更に備えることを特徴とする請求項１記載のカメラ。
【請求項３】
前記フィルターは、前記特定波長の赤外光の透過率が異なる少なくとも２以上の透過フィルターから構成され、それらの透過フィルターがそれぞれ前記入射光路上へ抜き差し可能とされていることを特徴とする請求項１記載のカメラ。
【発明の詳細な説明】
【０００１】
【発明の属する技術分野】
本発明はカメラに係り、詳細には、赤外光を利用した被写体検出機能を備えるカメラに関する。
【０００２】
【従来の技術】
デジタルカメラやビデオカメラ等による撮影では、通常は、撮影者が目視で被写体を捉え、おおよそのカメラアングルを定めてからファインダー又はＬＣＤディスプレイ等のモニター画面を確認し撮影している。このような撮影スタイルは、被写体の特定が容易な（周囲の風景などと識別しすい）多くの場合でごく普通に行われていることである。
【０００３】
一方、テレビカメラ等の撮影装置においては、撮影時に被写体の特定部位（顔など）の拡大撮影を自動的に行うことができるものが提案されている。この撮影装置は、雲台上に設けたズーム機能付テレビカメラの上部に赤外線カメラを取り付けるとともに、その赤外線カメラによる画像から被写体の顔などの特定部位が空間内のどこに存在するかを検出するための検出手段を設け、検出手段の出力に応じズームレンズ及び雲台を制御することで、被写体の特定部位を画面の中心に捉えるようズームインしている（例えば、特許文献１参照）。
【０００４】
【特許文献１】
特開平９−９１２８号公報　（第３頁、第１図）
【０００５】
【発明が解決しようとする課題】
しかしながら、従来のカメラでは、周囲との識別が困難な被写体を撮影する場合、例えば、似たような服装をした人々の中からひとりの人物（被写体）を見つけ出して撮影する場合などは、撮影者が被写体を特定するのに時間を要して迅速に撮影できないことがある。また被写体が移動すると、特定後に見失ってしまうこともあるため、それらによって、決定的なシャッターチャンスを逃してしまうことがある。
【０００６】
一方、特許文献１等に示される撮影装置では、撮影用のテレビカメラとは別に赤外線カメラが必要であり、さらに赤外線画像の中から特定部位を検出する検出回路部、テレビカメラのアングルやズーム等を制御する制御回路部等も必要であるため、装置構成が複雑で高価となる。そのため、民生用の携帯型カメラ等には容易に適用することができない。
【０００７】
本発明は上記事実を考慮して、周囲との識別が困難な被写体を撮影する場合でも、被写体を容易に特定することができて迅速な撮影を可能としたカメラを提供することを課題とする。
【０００８】
【課題を解決するための手段】
上記目的を達成するために請求項１に記載の発明は、被写体からの光を記録する記録手段と、前記記録手段への入射光路上へ抜き差し可能に設けられ、特定波長の赤外光を透過又は特定波長以外の赤外光をカットするフィルターと、前記特定波長の赤外光を含む前記被写体からの光を画像表示する表示手段と、を有することを特徴としている。
【０００９】
請求項１に記載の発明では、被写体からの光が、例えば、ＣＣＤ等の撮像デバイスやフィルム等の記録媒体を含む記録手段に記録されて、被写体の撮影が行われる。記録手段への入射光路上へは、赤外光領域における特定波長の赤外光を透過する、又は特定波長以外の赤外光をカットするフィルターが抜き差し可能に設けられ、そのフィルターが入射光路上に配置されると、特定波長の赤外光が検出される。そして、例えば、ＬＣＤディスプレイや電子式ファインダー（ＥＶＦ）等の表示手段には、特定波長の赤外光を含む被写体からの光を上記の撮像デバイス等によって撮像した画像が表示される。
【００１０】
これにより、撮影者は、表示手段を視認することで画像内における特定波長の赤外光の位置が確認できるようになる。また被写体には、特定波長の赤外光を発光する発光手段等を装着する。これによって、表示手段に表示された画像の赤外光発光部の位置から、被写体の位置が特定できるようになる。なお、被写体が人の場合は、上記のような赤外光発光手段を用いることが有効であるが、自ら赤外光を発する生物や人工物等が被写体の場合は、そのような赤外光発光手段を用いなくても被写体の特定及び撮影が可能である。
【００１１】
これにより、被写体が周囲と識別しにくい場合でも、表示手段に表示される画像の赤外光発光部の位置を確認することで被写体の位置を特定することができ、迅速にカメラアングルが決められる。またカメラアングルの設定後は、そのままの状態で、通常の撮影モードに切り替えることにより、すなわち、入射光路上のフィルターを退避させ赤外光を検出しないモードに切り替えることにより、被写体の可視光画像を撮影することができる。
【００１２】
したがって、周囲との識別が困難な被写体を撮影する場合でも、被写体を容易に特定することができて、迅速な撮影が可能となる。
【００１３】
請求項２に記載の発明は、請求項１記載のカメラにおいて、前記フィルターは狭波長範囲の赤外光を透過する透過フィルターとされ、前記狭波長範囲を含む広波長範囲の赤外光をカットするとともに前記入射光路上へ抜き差し可能とされたカットフィルターを更に備えることを特徴としている。
【００１４】
請求項２に記載の発明では、上記のフィルターに、狭波長範囲の赤外光を透過する透過フィルターを用いて特定波長の赤外光を検出することにより、特定波長以外の赤外光の遮光精度（非検出精度）が向上する。これにより、特定波長以外の赤外光によって生じる赤外光画像内のノイズが抑えられ、所望の赤外光発光部の位置をより正確に特定することができる。
【００１５】
また、上記の透過フィルターとは別に、入射光路上へ抜き差し可能なカットフィルターを設け、そのカットフィルターによって、上記の狭波長範囲を含む広波長範囲の赤外光をカットすることにより、赤外光を全てカットした通常撮影モード（可視光による撮影）への切り替えを、簡単な構成により実現することができる。
【００１６】
請求項３に記載の発明は、請求項１記載のカメラにおいて、前記フィルターは、前記特定波長範囲の赤外光の透過率が異なる少なくとも２以上の透過フィルターを備え、その透過フィルターがそれぞれ前記入射光路上へ抜き差し可能とされていることを特徴としている。
【００１７】
請求項３に記載の発明では、特定波長範囲の赤外光の透過率が異なる少なくとも２以上の透過フィルターを、入射光路上へ個別に、あるいは共に配置することで、赤外光画像に表示される赤外光発光部のコントラスト（輝度）が変更可能となる。そして例えば、可視光に赤外光を加えた画像を表示するモードを設けることで、同一画面により被写体と赤外光発光部の位置とが同時に確認できるようになる。そしてその際は、被写体画像に対する赤外光発光部のコントラストを変えることで、各光により写される画像のそれぞれの視認性を確保することができる。
【００１８】
これにより、被写体が移動する場合は、被写体の移動に伴う赤外光発光部の動きを被写体と共に画像で確認することができ、よって、被写体を見失うことを防止できる。
【００１９】
【発明の実施の形態】
以下、図面を参照して本発明の実施の形態を説明する。
【００２０】
図１〜図３には、本発明の一実施形態に係るデジタルカメラが示されている。以下、撮影光軸Ｐの光入射方向を前方（矢印ＦＲ）として説明する。
【００２１】
本実施形態のデジタルカメラ１０は、図示のような箱型のコンパクトタイプであり、カメラボディ１２の上面一側端部にシャッタボタン１４が設けられている。カメラボディ１２の前面略中央部には、撮影レンズ１６を組み込んだレンズ鏡筒部１８が設けられ、撮影レンズ１６については、ステッピングモータ等の駆動源により駆動されて焦点位置を変更するオートフォーカス（ＡＦ）機構を備えたズームレンズとなっている。また、シャッタボタン１４側の上隅部近傍に、ストロボ発光部２０が設けられている。
【００２２】
図２に示されるように、カメラボディ１２の背面には、上部略中央にファインダ２２が設けられており、ファインダ２２の下方に、ＬＣＤからなるカラー表示のディスプレイ２４が配置されている。ディスプレイ２４の側方には、上から順に、電源スイッチ２６及び被写体検出モード選択ボタン２８、３０、近距離撮影時に設定するマクロボタン３２、強制的にストロボを発光させる強制ストロボボタン３４、ディスプレイ２４に表示され各種設定画面内のカーソルを移動させるカーソルボタン３６、ディスプレイ２４に表示する画像の各種設定等を行う設定ボタン３８、４０、４２が設けられている。
【００２３】
また、図３の概略縦断面図に示されるように、カメラボディ１２の内部には、撮影レンズ１６の焦点位置に相当する位置に、電子シャッタ機構を設けたエリアＣＣＤからなる撮像デバイス４４が配置されている。この撮像デバイス４４の受光面４４Ａに、撮影レンズ１６へ入射した被写体からの光（反射光及び発光光）が結像され、画像が撮影される。
【００２４】
また、撮影レンズ１６と撮像デバイス４４との間には、並列に配置された３種類のフィルター４６、４８、５０が設けられている。フィルターの配置については、撮像デバイス４４側からフィルター４６、４８、５０の順に並べられている。各フィルターは、カメラボディ１２内の下部側に配置されたソレノイド等のアクチュエータ５２、５４、５６にそれぞれ連結支持されており、各アクチュエータは、コントローラ５８に接続されて個別に駆動制御される。
【００２５】
コントローラ５８からの駆動信号により、アクチュエータ５２、５４、５６が撮影光軸Ｐとの直交方向（図中の矢印Ａ方向）に駆動すると、フィルター４６、４８、５０は平行に移動して、撮影レンズ１６と撮像デバイス４４との間の光路上へ抜き差しされる。さらにコントローラ５８には、前述したシャッタボタン１４等のボタン類や、ストロボ発光部２０、ディスプレイ２４、撮像デバイス４４が接続されており、他にも、図示しない駆動源や制御回路部等が接続されている。なお、光路上に配置されるフィルター４６、４８、５０は、被写体検出モード選択ボタン２８、３０の操作によって切り替えられるようになっている。
【００２６】
図４には、各フィルターの透過特性（透過する光の波長と透過率の関係）が示されている。
【００２７】
実線で示されるフィルター４６は、可視光波長領域（４００ｎｍ〜７５０ｎｍ）の光を透過する特性のフィルターであり（透過率９５％程度）、これは、可視光領域よりも広い領域の光感度を有する撮像デバイス４４に対して可視光領域の光を入射させるためのものである。
【００２８】
二点鎖線で示されるフィルター４８は、赤外光波長領域における特定の波長（本実施形態では約８５０ｎｍ〜９００ｎｍ）の赤外光を透過する特性をもったバンドパスフィルターである（透過率９５％程度）。
【００２９】
一点鎖線で示されるフィルター５０は、可視光波長領域に加え、上記の特定の波長を含む領域の光まで透過する特性をもったフィルターである。ただしその透過率は、他のフィルターの２／３〜１／３程度とされている（可視光の透過率が６０％程度で特定波長赤外光の透過率が３０〜４０％程度）。
【００３０】
また図５には、人などの被写体を検出するために被写体に装着される赤外光発光装置が示されている。図５（Ａ）は、赤外光発光装置を単体で示したものであり、図５（Ｂ）は、赤外光発光装置を被写体に取り付けるための補助装着具を示したものである。
【００３１】
赤外光発光装置６０は、図示のような円盤状の装置本体６２を備えている。装置本体６２の内部には、特定波長（８５０ｎｍ〜９００ｎｍ程度）の赤外光を発光する赤外光ＬＥＤ６４、及び、回路基板や交換可能な電源電池等が組み込まれている。装置本体６２の上面には、光透過性プラスチックによって略ドーム状に形成されたカバー６６が設けられており、赤外光ＬＥＤ６４は、そのカバー６６に覆われて保護されている。また、赤外光ＬＥＤ６４の点灯及び消灯は、装置本体６２の外周面に設けられたスライドスイッチ６８によって切り替えられるようになっている。
【００３２】
この赤外光発光装置６０は、本実施形態では、図５（Ｂ）に示すような腕章型の補助装着具７０に固定され、補助装着具７０が被写体の上腕部に取り付けられることによって被写体に装着される。なお、補助装着具については、上記の腕章型以外でもよく、例えば、クリップやピン等として、被写体の衣服や帽子等に取り付けるようにすることもできる。
【００３３】
次に、上述したデジタルカメラ１０の作用について説明する。
【００３４】
本実施形態のデジタルカメラ１０には、周囲との識別が困難な被写体を撮影すする際に、撮影者による被写体の識別及び特定を助けるための２種類の被写体検出モードが設けられている。ひとつは、主に、動きの少ない被写体をより確実に検出するためのモードであり（以下、「検出優先モード」という）、もうひとつは、主に、動きのある被写体を見失わないようにするためのモードである（以下、「検出確認モード」という）。以下、その各モードを利用した被写体の検出から撮影までの手順を、図６及び図７を用いて説明する。
【００３５】
図６（Ａ）に示す例は、撮影者から見て横方向に並んだ複数の人物８２Ａ、８２Ｂ、８２Ｃ、８２Ｄ、…８２Ｎの中から、被写体となるひとりの人物８２Ｂを識別・特定して撮影する場合である。またここでは、各人が競技等に参加して同じユニフォームを着ており、そのため、特定の被写体が識別しなくい状況である。
【００３６】
被写体となる人物８２Ｂは、上腕部に補助装着具７０を介して赤外光発光装置６０を装着しており、赤外光発光装置６０は赤外光の発光がＯＮに設定されている。
【００３７】
撮影者は、デジタルカメラ１０の被写体検出モード選択ボタン２８を押圧操作して、検出優先モードに設定する。デジタルカメラ１０が検出優先モードに切り替わると、そのモードが選択されていることを示すタイトル又はアイコンがディスプレイ２４に表示される。それと同時に、コントローラ５８からの駆動信号によってアクチュエータ５４がフィルター４８を光路上（撮影光軸Ｐ）へ配置する方向に駆動し、アクチュエータ５２、５６は、フィルター４６、５０を光路上から退避する方向に駆動する。
【００３８】
これにより、撮像デバイス４４の受光面４４Ａには、撮影レンズ１６へ入射した光のうち、光路上にあるフィルター４８を透過した光のみが、すなわち、赤外光波長領域における特定波長の赤外光のみが結像される。そして図６（Ｂ）に示すように、ディスプレイ２４に表示されたモニター画像８４には、撮像デバイス４４によって受光された特定波長の赤外光発光部８６が高輝度で表示され、二点鎖線で示した人物の輪郭等は、赤外光発光部８６に比べて低輝度に表示される。
【００３９】
また、本実施形態では、特定波長の赤外光を透過するフィルターに狭波長範囲の赤外光を透過するバンドパスフィルターを用いていることで、特定波長以外の赤外光の遮光精度が高められている。これにより、特定波長以外の赤外光により生じるモニター画像内のノイズが抑えられ、赤外光発光部８６がより鮮明に表示される。
【００４０】
また、カメラアングルのずれが大きいために、モニター画像８４に赤外光発光部８６が表示されない場合は、デジタルカメラ１０の撮影方向をずらすことにより（図６の例では横方向等）、赤外光発光装置６０が画角内に入った際は赤外光発光部８６がモニター画像８４に表示される。
【００４１】
このようにして、赤外光発光部８６がモニター画像８４内に収まる方向に撮影方向を向けることで、おおよそのカメラアングルが決まる。そして、その状態を保ったまま通常の撮影モードに切り替える。
【００４２】
そのため、被写体検出モード選択ボタン２８を再び押圧操作すると、コントローラ５８はモードを解除するための信号を送信する。これにより、アクチュエータ５２、５４は反対方向に駆動して、フィルター４６のみが光路上に配置される。したがって、撮像デバイス４４により、フィルター４８を透過した可視光の画像が撮像され、ディスプレイ２４には、図６（Ｂ）に示すような、赤外光発光部のないモニター画像８６が表示される。
【００４３】
撮影者は、そのモニター画像８８に表示された人物８２Ｂの撮影画像９０を確認し、例えば、図６（Ｃ）に示すように、撮影画像９０がモニター画像９２の中央になるようカメラアングルを調整し、ズーム等の設定を行って撮影する。
【００４４】
以上により、周囲との識別が困難な被写体を撮影する場合でも、被写体を容易に特定することができて、迅速な撮影が可能となる。
【００４５】
次に、動きのある被写体を見失わないようにする撮影方法について説明する。
【００４６】
図７（Ａ）に示す撮影例は、図６（Ａ）と同様、撮影者から見て横方向に並んだ複数の人物の中から、ひとりの人物を被写体として撮影する場合であるが、ここでは、人物８２Ｂ（被写体）が、右側にいる人物８２Ｃの後方を通って右方向に移動する。このような場合、上述した検出優先モードでは、人物８２Ｂ（赤外光発光装置６０）が人物８２Ｃの後ろに隠れると、モニター画像に表示されていた赤外光発光部が消えてしまう。また、モニター画像に表示される被写体等の撮影画像は低輝度であるため、画面からは被写体の動きなどを確認しにくい面がある。そして、赤外光発光部が消えた際に、撮影者が慌ててカメラアングルを変えてしまうと、被写体を完全に見失っていしまうことになる。そのため、このような場合には、以下に説明する検出確認モードを用いての被写体検出が有効となる。
【００４７】
検出確認モードを選択するには、デジタルカメラ１０の被写体検出モード選択ボタン３０を押圧操作することによって行う。ボタン操作によってデジタルカメラ１０が検出確認モードに切り替わると、ディスプレイ２４には、そのモードが選択されていることを示すタイトル又はアイコンが表示される。同時に、コントローラ５８からの駆動信号によってアクチュエータ５６がフィルター５０を光路上（撮影光軸Ｐ）へ配置する方向に駆動し、アクチュエータ５２、５４は、フィルター４６、４８を光路上から退避する方向に駆動する。
【００４８】
これにより、撮像デバイス４４の受光面４４Ａには、フィルター５０を透過した可視光及び特定波長の赤外光を含む所定領域の赤外光のみが結像される。そのため、図７（Ｂ）に示すように、ディスプレイ２４に表示されたモニター画像９４には、特定波長の赤外光発光部９６に加え、人物８２Ｂ等の撮影画像９８が表示される。ただし、フィルター５０の透過率は、可視光領域よりも赤外光領域の方が少し低くされているため、赤外光発光部９６の輝度は抑えられている。
【００４９】
そして、人物８２Ｂが移動し人物８２Ｃの後ろに隠れると、図７（Ｃ）に示すように、モニター画像１００からは赤外光発光部９６が消える。しかし、モニター画像１００には撮影画像９８が表示されているため、撮影者は、撮影画像９８（人物８２Ｂ）の動きを見ながら、人物８２Ｂ（赤外光発光装置６０）が人物８２Ｃに隠れたことを確認し、その状況を認識できる。
【００５０】
さらに、人物８２Ｂが移動して人物８２Ｃの背後から現れると、図７（Ｄ）に示すように、モニター画像１００には再び赤外光発光部９６が表示される。
【００５１】
そして撮影者がシャッターチャンスと思ったときは、検出確認モードを解除して通常の撮影モードに切り替える。操作としては、被写体検出モード選択ボタン３０の押圧操作となり、このモード切り替えによって、コントローラ５８からの駆動信号によりアクチュエータ５２、５６が反対方向に駆動して、フィルター４６のみが光路上に配置される。したがって、ディスプレイ２４には、図７（Ｃ）に示すような、撮影する画像と同等のモニター画像１０４が表示され、撮影者のシャッタボタン操作により撮影が実行される。
【００５２】
以上説明したように、本実施形態のデジタルカメラ１０では、撮像デバイス４４への入射光路上に、赤外光領域における特定波長の赤外光を透過するフィルター４８が抜き差し可能に設けられ、フィルター４８が入射光路上に配置されると、特定波長の赤外光が検出される。そして、ディスプレイ２４には、特定波長の赤外光を含む被写体からの光を上記の撮像デバイス４４によって撮像したモニター画像が表示される。
【００５３】
これにより、被写体が周囲と識別しにくい場合でも、被写体が装着した赤外光発光装置６０からの赤外光を撮影した際に、ディスプレイ２４に表示される赤外光発光部の位置を確認することで被写体の位置を特定することができ、迅速にカメラアングルを決めることができる。またカメラアングルの設定後は、そのままの状態で、通常の撮影モードに切り替えることにより撮影可能となる。
【００５４】
したがって、周囲との識別が困難な被写体を撮影する場合でも、被写体を容易に特定することができて、迅速な撮影が可能となる。
【００５５】
また本実施形態では、上記のフィルター４８に、狭波長範囲の赤外光を透過する透過フィルターを用いて特定波長の赤外光を検出することにより、特定波長以外の赤外光の遮光精度（非検出精度）が向上する。これにより、特定波長以外の赤外光によって生じる赤外光画像内のノイズが抑えられ、赤外光発光部の位置をより正確に特定することができる。
【００５６】
また、フィルター４８とは別に、入射光路上へ抜き差し可能なフィルター（赤外光カットフィルター）４６を設け、そのフィルター４６によって、上記の狭波長範囲を含む広波長範囲の赤外光をカットすることにより、赤外光を全てカットした通常撮影モード（可視光による撮影）への切り替えを、簡単な構成により実現することができる。
【００５７】
さらに本実施形態では、特定波長範囲の赤外光の透過率が異なる２種類のフィルター４６、５０を備え、各フィルターを入射光路上へ個別に配置できることで、赤外光画像における赤外光発光部の輝度が変更可能となる。そして、可視光に赤外光を加えた画像を表示するモード（検出確認モード）を設けたことで、モニター画面により、被写体と赤外光発光部の位置とが同時に確認できるようになる。そしてその際は、被写体画像に対する赤外光発光部の輝度が抑えられていることにより、各光で写される画像のそれぞれの視認性を確保することができる。これにより、被写体が移動する場合は、被写体の移動に伴う赤外光発光部の動きを被写体と共にモニター画像で確認することができ、よって、被写体を見失うことが防止できる。
【００５８】
以上、本発明を上述した特定の実施形態により詳細に説明したが、本発明はそれに限定されるものではなく、本発明の範囲内にて他の種々の実施形態が可能である。
【００５９】
例えば、本実施形態では、フィルター４６、４８、５０を入射光路上へ抜き差し可能とするために、アクチュエータを用いていて平行移動させているが、それ以外の機構を用いることもできる。例えば、図８に示すような、回転機構のターレット１０８を用い、各フィルターを回転移動させて交換することもできる。またその場合は、ズーム機構用のステッピングモータを駆動源として用いることも可能である。
【００６０】
また本発明は、上述したコンパクトスタイプ以外のデジタルカメラやビデオカメラにも適用することができ、さらには銀塩カメラ等にも適用可能である。
【００６１】
【発明の効果】
本発明のカメラは上記構成としたので、周囲との識別が困難な被写体を撮影する場合でも、被写体を容易に特定することができて迅速な撮影が可能となる。
【図面の簡単な説明】
【図１】本発明の一実施形態に係るデジタルカメラを正面側から見た外観図である。
【図２】図１のデジタルカメラを背面側から見た外観図である。
【図３】図１のデジタルカメラの概略縦断面図である。
【図４】フィルターの透過特性を示した図である。
【図５】本発明の一実施形態に係る赤外光発光装置を示した斜視図で、（Ａ）が赤外光発光装置の単体の状態であり、（Ｂ）が赤外光発光装置を補助装着具に固定した状態である。
【図６】本発明の一実施形態に係るデジタルカメラによって被写体を検出し撮影する一例を示した説明図である。
【図７】本発明の一実施形態に係るデジタルカメラによって被写体を検出し撮影する他の例を示した説明図である。
【図８】フィルター交換機構の変形例を示したデジタルカメラの外観図である。
【符号の説明】
１０　　　　デジタルカメラ（カメラ）
２４　　　　ディスプレイ（表示手段）
４４　　　　撮像デバイス（記録手段）
４６　　　　フィルター
４８　　　　フィルター
５０　　　　フィルター
【図１】
2004126416.tif 000003
【図２】
2004126416.tif 000004
【図３】
2004126416.tif 000005
【図４】
2004126416.tif 000006
【図５】
2004126416.tif 000007
【図６】
2004126416.tif 000008
【図７】
2004126416.tif 000009
【図８】
2004126416.tif 000010